(57)【要約】【課題】端末個々の通信状態の判定結果だけでなく、複数の端末の判定結果の全体的な傾向等を容易に且つ直感的に把握できるようにする。【解決手段】複数の端末をネットワークに接続させるための被試験装置に接続可能なインタフェースと、前記インタフェースを介して接続された前記被試験装置との間で所定プロトコルにしたがって通信を行う複数の仮想端末と、前記複数の仮想端末と前記被試験装置との間の通信を監視してその通信状態を判定する監視手段と、表示器と、前記監視手段によって得られた前記複数の仮想端末の判定結果を、各仮想端末に割り当てたブロックの形状、色、濃度の少なくとも一つの違いで識別できる状態で前記表示器に一覧表示する一覧表示手段とを有している。【選択図】図２
2008311982.tif 000002
【特許請求の範囲】
【請求項１】
複数の端末をネットワークに接続させるための被試験装置に接続可能なインタフェース（２１）と、
前記インタフェースを介して接続された前記被試験装置との間で所定プロトコルにしたがって通信を行う複数の仮想端末（２３（１）〜２３（Ｎ））と、
前記複数の仮想端末と前記被試験装置との間の通信を監視してその通信状態を判定する監視手段（２５）と、
表示器（３１）と、
前記監視手段によって得られた前記複数の仮想端末の判定結果を、各仮想端末に割り当てたブロックの形状、色、濃度の少なくとも一つの違いで識別できる状態で前記表示器に一覧表示する一覧表示手段（２６）とを有するネットワーク接続機器試験装置。
【請求項２】
前記表示器に表示されたブロックのうちの任意のブロックを表示画面上で選択するための操作部（３２）と、
前記操作部によって選択されたブロックに対応する仮想端末の判定結果を文字で個別表示する個別表示手段（２７）とを備えたことを特徴とする請求項１記載のネットワーク接続機器試験装置。
【発明の詳細な説明】
【技術分野】
【０００１】
本発明は、複数の端末をインターネット等のネットワークに接続させるためのサーバー等の接続機器を被試験装置とするネットワーク接続機器試験装置において、その試験結果を直感的に把握できるようにするための技術に関する。
【背景技術】
【０００２】
端末をインターネットに接続するサーバー等の接続機器では、接続要求のある端末の数が増加するにしたがって処理速度が低下したり、エラーが発生する場合がある。
【０００３】
したがって、このような接続機器の設置時やメンテナンス時に、どのくらいの数の端末が通信確立できるかを試験する必要がある。
【０００４】
この試験を行うための装置として、試験対象装置との間で通信を行うために必要なインタフェースと、そのインタフェースを介して試験対象装置との間で所定プロトコルにしたがって通信を行なうことができる任意数の仮想端末とを有し、各仮想端末と試験対象装置との間の通信をモニタし、その通信状態を判定して、その判定結果を表示器に表示する試験装置が従来からあった（例えばＡｇｉｌｅｎｔ社の「Ｎ２Ｘ」、非特許文献１参照）。
【０００５】
【非特許文献１】http://advanced.comms.agilent.com/n2x/docs/brochure/N2X_brochure.htm
【発明の開示】
【発明が解決しようとする課題】
【０００６】
しかしながら、上記した従来の試験装置は、多数の端末と試験対象装置との通信が確立した割合等を数値表示したり、個々の端末の通信状態を文字で表示しているため、試験に慣れていない試験者が端末個々の通信状態の判定結果を把握することや、複数の端末の判定結果の全体的な傾向等を把握することが非常に困難であった。
【０００７】
本発明は、この問題を解決して、端末個々の通信状態の判定結果だけでなく、複数の端末の判定結果の全体的な傾向等を容易に且つ直感的に把握することができる。
【課題を解決するための手段】
【０００８】
前記目的を達成するために、本発明の請求項１のネットワーク接続機器試験装置は、
複数の端末をネットワークに接続させるための被試験装置に接続可能なインタフェース（２１）と、
前記インタフェースを介して接続された前記被試験装置との間で所定プロトコルにしたがって通信を行う複数の仮想端末（２３（１）〜２３（Ｎ））と、
前記複数の仮想端末と前記被試験装置との間の通信を監視してその通信状態を判定する監視手段（２５）と、
表示器（３１）と、
前記監視手段によって得られた前記複数の仮想端末の判定結果を、各仮想端末に割り当てたブロックの形状、色、濃度の少なくとも一つの違いで識別できる状態で前記表示器に一覧表示する一覧表示手段（２６）とを有している。
【０００９】
また、本発明の請求項２のネットワーク接続機器試験装置は、請求項１記載のネットワーク接続機器試験装置において、
前記表示器に表示されたブロックのうちの任意のブロックを表示画面上で選択するための操作部（３２）と、
前記操作部によって選択されたブロックに対応する仮想端末の判定結果を文字で個別表示する個別表示手段（２７）とを備えたことを特徴とする。
【発明の効果】
【００１０】
このように本発明のネットワーク接続機器試験装置では、監視手段によって得られた複数の仮想端末の判定結果を、ブロックの形状、色、濃度の少なくとも一つの違いで識別できる状態で一覧表示しているので、端末個々の判定結果だけでなく、複数の仮想端末の判定結果の全体的な傾向等を容易に且つ直感的に把握することができる。
【００１１】
また、表示器に表示されたブロックを選択操作すれば、そのブロックに対応した仮想端末のみの判定結果を個別に確認することができ、個々の詳細な判定結果も把握できる。
【発明を実施するための最良の形態】
【００１２】
以下、図面に基づいて本発明の実施の形態を説明する。
図１は、本発明を適用したネットワーク接続機器試験装置２０の構成を示している。
【００１３】
このネットワーク接続機器試験装置２０は、サーバー等のインターネット接続機器を被試験装置１とするものであり、その被試験装置１と通信を行うためのインタフェース２１、試験制御部２２、表示器３１およびマウスやキーボード等からなる操作部３２を有している。
【００１４】
試験制御部２２はコンピュータで構成されており、その内部には、インタフェース２１を介して被試験装置１との間で所定のプロトコルにしたがって通信を行うための複数の仮想端末２３（１）〜２３（Ｎ）、監視手段２５、一覧表示手段２６、個別表示手段２７が設けられている。
【００１５】
ここで、プロトコルは、ＧＳＭ方式の携帯電話網を構成するＳＧＳＮ（Serving
GPRS Support Node）に対応したものや、ＰＰＰサーバーに対応したＰＰＰｏＥ（PPP
over Ethernet（登録商標））等であり、仮想端末２３（１）〜２３（Ｎ）は例えば携帯電話、ＰＣ等であって、インタフェース２１は、各仮想端末２３（１）〜２３（Ｎ）から送信されたデータを多重化して被試験装置１へ出力し、被試験装置１から入力されたデータから各仮想端末２３（１）〜２３（Ｎ）宛てのデータを分離して各仮想端末２３（１）〜２３（Ｎ）にそれぞれ与える。
【００１６】
仮想端末２３（１）〜２３（Ｎ）の数Ｎは、例えば１０００までの範囲で試験前に任意に指定できるようになっている。
【００１７】
監視手段２５は、複数の仮想端末２３（１）〜２３（Ｎ）と被試験装置１との間の通信を監視してその通信状態を判定する。
【００１８】
ここで、仮想端末２３（１）〜２３（Ｎ）と被試験装置１との間の通信状態とは、例えば被試験装置１との間の通信を開始していない状態非動作状態、被試験装置１との間の通信を開始しているが接続が確立していない状態、接続が確立した状態、接続が確立した後の切断状態、エラー発生状態等である。
【００１９】
一覧表示手段２６は、監視手段２５の判定結果を表示器３１に一覧表示するものであり、監視手段２５によって得られた各仮想端末の判定結果を、各仮想端末に対応したブロックの形状（模様も含む）、色、濃度の違い等で識別できる状態で表示器３１に一覧表示する。
【００２０】
また、操作部３２の操作により画面上を移動するカーソルによって、表示器３１に表示されたブロックのうちの任意のブロックを選択できるようになっており、個別表示手段２７は、この操作で選択されたブロックに対応する仮想端末の判定結果を文字で個別表示する。
【００２１】
図２は、最大５１２台の仮想端末と被試験装置１との間の通信をモニタしている最中における表示例を示すものであり、各仮想端末に四角形のブロックを対応付け、非動作状態の仮想端末に黒色、接続が確立前の状態の仮想端末に白色、接続が確立した状態の仮想端末に緑色、接続が確立した後の切断状態に黄色、エラー発生状態の仮想端末に赤色を付している。なお、図２では、四角形のブロックの色の違いを、ハッチングの違いで表している。
【００２２】
この表示をみれば、各仮想端末２３と被試験装置１との間の通信状態の判定結果を直感的に把握でき、また、一覧表示されているために、全体の傾向や処理経過などが容易に把握できる。
【００２３】
また、図２の画面上に表示されているカーソルＫを例えば図３のように、エラー表示されたブロックに位置してクリック操作すれば、そのブロックについての通信状態の判定結果が文字で個別表示されるので、その詳細を個別に把握することができる。なお、このブロックの選択方法や、個別の判定結果の表示形態等は任意であり、上記例に限定されるものではない。
【００２４】
また、上記実施形態では、各仮想端末についての判定結果を、ブロックの色の違いで識別できるようにしていたが、色の濃度の違いで識別できるようにしてもよく、また、色の違いと濃度の違いとを併用して識別できるようにしてもよい。
【００２５】
また、図４のように、ブロックの形状（模様も含む）の違いを用いて識別できるようにしてもよく、ブロックの形状、色、濃度の２つ以上を組合せて判定結果を識別表示してもよい。
【図面の簡単な説明】
【００２６】
【図１】本発明の実施形態の構成図
【図２】実施形態の一覧表示例を示す図
【図３】実施形態の個別表示例を示す図
【図４】ブロックの形状の違いによる表示例を示す図
【符号の説明】
【００２７】
１……被試験装置、２０……ネットワーク接続機器試験装置、２１……インタフェース、２２……試験制御部、２３……仮想端末、２５……監視手段、２６……一覧表示手段、２７……個別表示手段、３１……表示器、３２……操作部
【図１】
2008311982.tif 000003
【図２】
2008311982.tif 000004
【図３】
2008311982.tif 000005
【図４】
2008311982.tif 000006